(57)【特許請求の範囲】
【請求項１】
容器本体（１）に、容器本体（１）内の内容物を外部に噴射する噴射ステム（５）が突設されると共に、カバー体（９）が噴射ステム（５）の周囲を取り囲むように装着され、噴射ステム（５）に、該噴射ステム（５）を押圧操作するためのノズルボタン（１７）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記差し込み具（２７）が、ノズルボタン（１７）に設けられていることを特徴とする容器。
【請求項２】
前記ノズルボタン（１７）の押圧部（２２）にリブ（２６）が設けられ、このリブ（２６）に前記差し込み具（２７）が形成されている特徴とする請求項１に記載の容器。
【請求項３】
容器本体（１）に、容器本体（１）内の内容物を外部に噴射する噴射ステム（５）が突設されると共に、カバー体（９）が噴射ステム（５）の周囲を取り囲むように装着され、噴射ステム（５）に、該噴射ステム（５）を押圧操作するためのノズルボタン（１７）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記差し込み具（２７）が、ノズルボタン（１７）を着脱自在に覆うように設けられたオーバーキャップ（３１）に設けられていることを特徴とする容器。
【請求項４】
容器本体（１）に、容器本体（１）内の内容物を外部に噴射する噴射ステム（５）が突設されると共に、カバー体（９）が噴射ステム（５）の周囲を取り囲むように装着され、噴射ステム（５）に、該噴射ステム（５）を押圧操作するためのノズルボタン（１７）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記ノズルボタン（１７）のノズル（２３）が、前記差し込み具（２７）に兼用されていることを特徴とする容器。
【請求項５】
容器本体（１）に、容器本体（１）内の内容物を外部に噴射する噴射ステム（５）が突設されると共に、カバー体（９）が噴射ステム（５）の周囲を取り囲むように装着され、噴射ステム（５）に、該噴射ステム（５）を押圧操作するためのノズルボタン（１７）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記ノズルボタン（１７）が、カバー体（９）に分離可能に連結して設けられていることを特徴とする容器。
【請求項６】
容器本体（１）に、容器本体（１）内の内容物を外部に噴射する噴射ステム（５）が突設されると共に、カバー体（９）が噴射ステム（５）の周囲を取り囲むように装着され、噴射ステム（５）に、該噴射ステム（５）を押圧操作するためのノズルボタン（１７）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記ノズルボタン（１７）が、カバー体（９）とは別個に設けられていることを特徴とする容器。
【請求項７】
容器本体（１）にカバー体（９）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記カバー体（９）に、差し込み口（２９）からカバー体（９）内に挿入した差し込み具（２７）を案内するガイドリブ（３５）が設けられていることを特徴とする容器。
【請求項８】
容器本体（１）にカバー体（９）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記差し込み具（２７）が、前記差し込み口（２９）から容器本体（１）の肩部（２）とカバー体（９）との間に差し込んで容器本体（１）からカバー体（９）を分離するように構成されていることを特徴とする容器。
【請求項９】
容器本体（１）にカバー体（９）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記差し込み具（２７）を、前記差し込み口（２９）から容器本体（１）の口部（３）に固着したマウンテンキャップ（４）とカバー体（９）との間に差し込んで、容器本体（１）からカバー体（９）を分離するように構成されていることを特徴とする容器。
【請求項１０】
容器本体（１）にカバー体（９）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
差し込み口（２９）に差し込む際の差し込み具（２７）の向きが特定されるように、前記差し込み具（２７）と差し込み口（２９）とが互いに対応した形状に構成されていることを特徴とする容器。
【請求項１１】
容器本体（１）にカバー体（９）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
差し込み口（２９）に差し込む際の差し込み具（２７）の向きが特定されるように、前
記差し込み具（２７）と差し込み口（２９）とが互いに対応して複数個ずつ設けられていることを特徴とする容器。
【請求項１２】
容器本体（１）にカバー体（９）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
容器本体（１）とカバー体（９）との間に差し込み具（２７）を挿入するための隙間を形成するように、前記差し込み口（２９）が、カバー体（９）の端部に容器本体（１）側に向けて開放したスリット状に形成されていることを特徴とする容器。
【請求項１３】
容器本体（１）にカバー体（９）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記差し込み口（２９）に挿入した差し込み具（２７）をカバー体（９）内で容器本体（１）とカバー体（９）との間に挿入可能にするように、前記差し込み口（２９）が、カバー体（９）の中途部に形成したスリット孔により構成されていることを特徴とする容器。
【請求項１４】
容器本体（１）にカバー体（９）が装着された容器において、
カバー体（９）に差し込み口（２９）が設けられ、容器本体（１）とカバー体（９）とを分離するように前記差し込み口（２９）から容器本体（１）とカバー体（９）との間に挿入される差し込み具（２７）が具備され、
前記差し込み具（２７）が、先端側が徐々に細くなったテーパー状に形成されていることを特徴とする容器。
【発明の詳細な説明】
【０００１】
【発明の属する技術分野】
本発明は、容器本体にカバー体が装着された液化ガス、ヘアスプレー、殺虫剤スプレー等の容器に関する。
【０００２】
【従来の技術】
例えば、液化ガス、ヘアスプレー、殺虫剤スプレー等のエアゾール容器には、容器本体の上端部に、肩部を介して口部が設けられ、口部に該口部の開口を塞ぐようにマウンテンキャップが嵌着され、このマウンテンキャップの中央部に、容器本体内の内容液を外部に噴射する噴射ステムが上方突設されものがあり、この種の容器では、容器本体の上端部に、容器本体の肩部及びマウンテンキャップの外周部を覆うようにカバー体が嵌合装着されると共に、前記噴射ステムに、ノズルを有するノズルボタンが外嵌され、ノズルボタンの押圧部を下方に押圧操作することにより、噴射ステムから噴射された内溶液がノズルボタンのノズルを通して外部に噴出させるように構成されものがある。
【０００３】
【発明が解決しようとする課題】
しかし、容器本体はアルミ、スチール、硝子等で構成され、カバー体、ノズルキャップはポリプロピレン、ポリエチレン等の合成樹脂により構成されており、容器本体とカバー体とは材質が異なっているため、容器を使用し終わって該容器を廃棄する場合や再利用する場合には、容器本体からカバー体を分離する必要があるが、カバー体は容器本体に対して不測に外れることがないように強固に外嵌装着されているため、容器本体からカバー体を分離するためには、ペンチ等の工具を使用する必要があり、カバー体と容器本体を分離するための作業が非常に面倒であった。
【０００４】
本発明は、上記問題点に鑑み、ペンチ等の工具を使用することなく、カバー体と容器本体とを簡単に分離することができるようにしたものである。
【０００５】
【課題を解決するための手段】
この技術的課題を解決する本発明の第１の技術手段は、容器本体１に、容器本体１内の内容物を外部に噴射する噴射ステム５が突設されると共に、カバー体９が噴射ステム５の周囲を取り囲むように装着され、噴射ステム５に、該噴射ステム５を押圧操作するためのノズルボタン１７が装着された容器において、
カバー体９に差し込み口２９が設けられ、容器本体１とカバー体９とを分離するように前記差し込み口２９から容器本体１とカバー体９との間に挿入される差し込み具２７が具備され、
前記差し込み具２７が、ノズルボタン１７に設けられている点にある。
本発明の第２の技術手段は、前記ノズルボタン１７の押圧部２２にリブ２６が設けられ、このリブ２６に前記差し込み具２７が形成されている点にある。
【０００６】
本発明の第３の技術手段は、容器本体１に、容器本体１内の内容物を外部に噴射する噴射ステム５が突設されると共に、カバー体９が噴射ステム５の周囲を取り囲むように装着され、噴射ステム５に、該噴射ステム５を押圧操作するためのノズルボタン１７が装着された容器において、
カバー体９に差し込み口２９が設けられ、容器本体１とカバー体９とを分離するように前記差し込み口２９から容器本体１とカバー体９との間に挿入される差し込み具２７が具備され、
前記差し込み具２７が、ノズルボタン１７を着脱自在に覆うように設けられたオーバーキャップ３１に設けられている点にある。
【０００７】
本発明の第４の技術手段は、容器本体１に、容器本体１内の内容物を外部に噴射する噴射ステム５が突設されると共に、カバー体９が噴射ステム５の周囲を取り囲むように装着され、噴射ステム５に、該噴射ステム５を押圧操作するためのノズルボタン１７が装着された容器において、
カバー体９に差し込み口２９が設けられ、容器本体１とカバー体９とを分離するように前記差し込み口２９から容器本体１とカバー体９との間に挿入される差し込み具２７が具備され、
前記ノズルボタン１７のノズル２３が、前記差し込み具２７に兼用されている点にある。
本発明の第５の技術手段は、容器本体１に、容器本体１内の内容物を外部に噴射する噴射ステム５が突設されると共に、カバー体９が噴射ステム５の周囲を取り囲むように装着され、噴射ステム５に、該噴射ステム５を押圧操作するためのノズルボタン１７が装着された容器において、
カバー体９に差し込み口２９が設けられ、容器本体１とカバー体９とを分離するように前記差し込み口２９から容器本体１とカバー体９との間に挿入される差し込み具２７が具備され、
前記ノズルボタン１７が、カバー体９に分離可能に連結して設けられている点にある。
【０００８】
本発明の第６の技術手段は、容器本体１に、容器本体１内の内容物を外部に噴射する噴射ステム５が突設されると共に、カバー体９が噴射ステム５の周囲を取り囲むように装着され、噴射ステム５に、該噴射ステム５を押圧操作するためのノズルボタン１７が装着された容器において、
カバー体９に差し込み口２９が設けられ、容器本体１とカバー体９とを分離するように前記差し込み口２９から容器本体１とカバー体９との間に挿入される差し込み具２７が具備され、
前記ノズルボタン１７が、カバー体９とは別個に設けられている点にある。
本発明の第７の技術手段は、容器本体１にカバー体９が装着された容器において、
カバー体９に差し込み口２９が設けられ、容器本体１とカバー体９とを分離するように前記差し込み口２９から容器本体１とカバー体９との間に挿入される差し込み具２７が具備され、
前記カバー体９に、差し込み口２９からカバー体９内に挿入した差し込み具２７を案内するガイドリブ３５が設けられている点にある。
【０００９】
本発明の第８の技術手段は、容器本体１にカバー体９が装着された容器において、
カバー体９に差し込み口２９が設けられ、容器本体１とカバー体９とを分離するように前記差し込み口２９から容器本体１とカバー体９との間に挿入される差し込み具２７が具備され、
前記差し込み具２７が、前記差し込み口２９から容器本体１の肩部２とカバー体９との間に差し込んで容器本体１からカバー体９を分離するように構成されている点にある。
本発明の第９の技術手段は、容器本体１にカバー体９が装着された容器において、
カバー体９に差し込み口２９が設けられ、容器本体１とカバー体９とを分離するように前記差し込み口２９から容器本体１とカバー体９との間に挿入される差し込み具２７が具備され、
前記差し込み具２７を、前記差し込み口２９から容器本体１の口部３に固着したマウンテンキャップ４とカバー体９との間に差し込んで、容器本体１からカバー体９を分離するように構成されている点にある。
【００１０】
本発明の第１０の技術手段は、容器本体１にカバー体９が装着された容器において、
カバー体９に差し込み口２９が設けられ、容器本体１とカバー体９とを分離するように前記差し込み口２９から容器本体１とカバー体９との間に挿入される差し込み具２７が具備され、
差し込み口２９に差し込む際の差し込み具２７の向きが特定されるように、前記差し込み具２７と差し込み口２９とが互いに対応した形状に構成されている点にある。
本発明の第１１の技術手段は、容器本体１にカバー体９が装着された容器において、
カバー体９に差し込み口２９が設けられ、容器本体１とカバー体９とを分離するように前記差し込み口２９から容器本体１とカバー体９との間に挿入される差し込み具２７が具備され、
差し込み口２９に差し込む際の差し込み具２７の向きが特定されるように、前記差し込み具２７と差し込み口２９とが互いに対応して複数個ずつ設けられている点にある。
【００１１】
本発明の第１２の技術手段は、容器本体１にカバー体９が装着された容器において、
カバー体９に差し込み口２９が設けられ、容器本体１とカバー体９とを分離するように前記差し込み口２９から容器本体１とカバー体９との間に挿入される差し込み具２７が具備され、
容器本体１とカバー体９との間に差し込み具２７を挿入するための隙間を形成するように、前記差し込み口２９が、カバー体９の端部に容器本体１側に向けて開放したスリット状に形成されている点にある。
【００１２】
本発明の第１３の技術手段は、容器本体１にカバー体９が装着された容器において、
カバー体９に差し込み口２９が設けられ、容器本体１とカバー体９とを分離するように前記差し込み口２９から容器本体１とカバー体９との間に挿入される差し込み具２７が具備され、
前記差し込み口２９に挿入した差し込み具２７をカバー体９内で容器本体１とカバー体９との間に挿入可能にするように、前記差し込み口２９が、カバー体９の中途部に形成したスリット孔により構成されている点にある。
【００１３】
本発明の第１４の技術手段は、容器本体１にカバー体９が装着された容器において、
カバー体９に差し込み口２９が設けられ、容器本体１とカバー体９とを分離するように前記差し込み口２９から容器本体１とカバー体９との間に挿入される差し込み具２７が具備され、
前記差し込み具２７が、先端側が徐々に細くなったテーパー状に形成されている点にある。
従って、差し込み具２７をカバー体９の差し込み口２９に差し込むことにより、カバー体９を容器本体１から簡単に分離することができる。
【００１４】
【発明の実施の形態】
以下、本発明を図示の実施の形態に従って説明する。図１〜図４において、１は液化ガス、ヘアスプレー、殺虫剤スプレー等のエアゾール容器の容器本体で、アルミ、スチール、硝子等により構成されている。容器本体は円筒状に形成され、その上端部には上側に向けて徐々に小径となるように先窄まり状に傾斜した肩部２を介して小径の口部３が形成されている。口部３に該口部３の開口を塞ぐようにマウンテンキャップ４が嵌合固着されている。
【００１５】
マウンテンキャップ４の中央部には凸部６を介して噴射ステム５が上方突設されている。噴射ステム５は下方に押圧操作されることにより、殺虫剤等の内溶物を上方に向けて噴射するようになっている。なお、マウンテンキャップ４は容器本体１と同様にアルミ、スチール、硝子等により構成されている。
９はカバー体で、ポリプロピレン、ポリエチレン等の合成樹脂により円筒状に形成され、容器本体１の上端部に外嵌固着されている。カバー体９は、噴射ステム５の周囲を取り囲むように容器本体１の肩部２及びマウンテンキャップ４の外周部を覆っている。カバー体９は円筒状の筒状部１０と、筒状部１０の上下方向中途部から径方向外方に広がるように下方突出したスカート部１１と、筒状部１０の上端から内方突出した天壁部１２とを有し、天壁部１２には円形の開口１３が設けられ、この開口１３から前記噴射ステム５が露出するようになっている。スカート部１１の下端は、容器本体１の肩部２の基端に接当又は近接されている。筒状部１０の下部はマウンテンキャップ４に外嵌され、その下端には係止突起１５が設けられ、この係止突起１５がマウンテンキャップ４の下端縁に下側から係合され、これによりカバー体９は容器本体１の上端部に不測に外れないように強固に嵌合固着されている。
【００１６】
１７はノズルボタンで、前記カバー体９と一体成形したもので、連結部１８を介してカバー体９と連結されており、容器本体１からカバー体９を分離する際に、連結部１８を切断して後述するノズルボタン１７の差し込み具２７を使用できるようにしたものである。
前記ノズルボタン１７は、カバー体１１の天壁部１２に遊嵌する円板状の板部２０と、噴射ステム５に外嵌固着される円筒状の嵌合部２１と、板部２０から上方突出した押圧部２２と、押圧部２２から大きく上方突出したノズル２３とを有し、ノズル２３は嵌合部２１に連通されており、押圧部２２を押圧操作すると、嵌合部２１を介して噴射ステム５を下方に押圧し、噴射ステム５から噴射した内容物をノズル２３を通して外部に噴射するようになっている。
【００１７】
押圧部２２の下側には一対のリブ２６が設けられ、一対の各リブ２６の下端部に、先端が徐々に細くなった三角形状（テーパー状）の差し込み具２７が一体に形成されている。
前記カバー体９の下端部には、一対の差し込み口２９が前記一対の差し込み具２７に対応して設けられている。この一対の差し込み口２９は、カバー体９の下端部に容器本体１側に向けて開放したスリット状に形成され、これにより容器本体１とカバー体９との間に差し込み具２７を挿入するための隙間を形成している。従って、ノズルボタン１７をカバー体９から分離して、図３及び図４に示す如く一対の差し込み具２７を一対の差し込み口２９に挿入して、例えば差し込み具２７を、容器本体１の肩部２に沿って斜め上方に摺動させることにより、カバー体９を容器本体１に対して上方に持ち上げて、容器本体１からカバー体９を簡単に分離させることができるようになっている。
【００１８】
３１は下端が開口した円筒状のオーバーキャップで、オーバーキャップ３１の下端部がカバー体９の筒状部１０の上部に着脱自在に外嵌され、オーバーキャップ３１はカバー体９の上部及びノズルボタン１７を覆っている。
上記実施の形態によれば、容器を使用し終わって容器本体１からカバー体９を分離する場合、連結部１８を切断してカバー体９からノズルボタン１７を分離した後、ノズルボタン１７を把持して図１に鎖線で示す状態から図３に示すようにノズルボタン１７の差し込み具２７をカバー体９の差し込み口２９に差し込み、その後図４の矢印▲１▼で示す如く差し込み具２７を肩部２に沿って上方に摺動させればよく、カバー体９が容器本体１に対して上方に持ち上がり、容器本体１からカバー体９が簡単に分離する。また、差し込み具２７を差し込み口２９にある程度差し込んだ後、図４の矢印▲２▼で示す如く差し込み具２７を捩じることにより、或いは図４の矢印▲３▼に示す如くこじ上げることにより、容器本体１からカバー体９を簡単に分離させることができる。さらに、図４の矢印▲１▼▲２▼▲３▼で示す前記摺動、捩じり、こじ上げを適当に組み合わせることによっても、差し込み具２７を使用して容器本体１からカバー体９を簡単に分離させることができる。
【００１９】
図５〜７は夫々他の実施の形態を示し、一対のスリット状の差し込み口２９を、互いに異なる形状、大きさにすると共に、図示省略しているが、差し込み口２９の形状に対応して一対の差し込み具２７を互いに異ならせて、差し込み具２７及び差し込み口２９の形状、大きさから、差し込み具２７を差し込み口２９に挿入する際に差し込み口２９に対して差し込み具２７が上下逆向きにならないようにノズルボタン１７乃至差し込み具２７の向きを特定できるようにしたものである。即ち、図５は一対の差し込み口２９の幅を異ならせている。図６は一対の差し込み口２９の長さを異ならせている。図７は一対の差し込み口２９の形状を互いに異ならせている。その他の点は前記実施の形態と同様の構成である。
【００２０】
図８は他の実施の形態を示し、差し込み具２７の基部に階段状に突出したストッパ３３を設け、これにより差し込み具２７を差し込み口２９に差し込んで、容器本体１からカバー体９を分離させる際に、差し込み具２７を一度に深く差し込み過ぎて容器本体１に対してカバー体９が飛び落ちないように、差し込み具２７の差し込みをストッパ３３によって途中で止めることができるようにしたものである。
【００２１】
図９は他の実施の形態を示し、ノズルボタン１７に差し込み具２７を１個設けると共に、これに対応して、カバー体９の下端に差し込み口２９を１個設け、カバー体９のスカート部１１の内面側に、差し込み口２９に挿入された差し込み具２７を案内するガイドリブ３５を一対設けたものである。その他の点は前記実施の形態と同様の構成である。
【００２２】
図１０は他の実施の形態を示し、差し込み具２７を図１１又は図１２に示すようにＶ字状又はＵ字状に屈曲した形状のものを１個設けると共に、この差し込み具２７に対応する形状の差し込み口２９をカバー体９の下端に１個設けている。その他の点は前記実施の形態と同様の構成である。
図１３は図１０の実施の形態の変形例で、ノズルボタン１７の板部２０の形状を半円板状に形成したものである。
【００２３】
図１４及び図１５は他の実施の形態を示し、ノズルボタン１７の押圧部２２に一対の差し込み具２７を突設し、この一対の差し込み具２７に対応するように、前記実施の形態と同様にカバー体９の下端に一対の差し込み口２９を設けたものである。
図１６は他の実施の形態を示し、押圧部２２の下側に図示省略のリブ２６を介して丸棒状又は円筒状の差し込み具２７を突設し、この差し込み具２７に対応するように、カバー体９の下端部にＵ字状に切り欠いてなる差し込み口２９を設けたものである。その他の点は前記実施の形態と同様の構成である。
【００２４】
図１７〜１９は他の実施の形態を示し、カバー体９のスカート部１１の下端に、ノズルボタン１７のノズル２３に対応してＵ字状に切り欠いてなる差し込み口２９を設け、ノズルボタン１７のノズル２３を差し込み具２７に兼用するようにしたものである。その他の点は前記実施の形態と同様の構成である。
図２０は前記図１７〜１９の実施の形態の変形例を示し、差し込み具２７に兼用したノズル２３を先端側が徐々に小径となるテーパー状に形成したものである。
【００２５】
図２１〜２４は他の実施の形態を示し、ノズルボタン１７の押圧部２２に断面Ｔ字形の差し込み具２７を突設すると共に、カバー体９のスカート部１１の下端に、ノズルボタン１７のノズル２３に対応してＴ字状の差し込み口２９を設けたものであり、この場合、図２４に示すように差し込み具２７を肩部２を摺動させながら差し込み口２９に差し込んだ後、ノズルボタン１７を矢印Ａ方向に揺動させることにより、容器本体１に対してカバー体９を簡単にこじ上げてカバー体９を容器本体１から分離させることができる。
【００２６】
図２５〜図２７は他の実施の形態を示し、図２５は、複数（図例では３個）の連結部１８を介してカバー体９の天壁部１２とノズルボタン１７の板部２０とを連結した状態になるように、カバー体９とノズルボタン１７とを一体に成形し、容器本体１からカバー体９を分離する際に、連結部１８を切断してノズルボタン１７の差し込み具２７を使用できるようにしたものである。
【００２７】
図２６は、カバー体９とノズルボタン１７とを別個に成形し、カバー体９の天壁部１２に係止孔３７を設けると共に、ノズルボタン１７の板部２０下面に、一対の下挟持片３８を突設すると共に、ノズルボタン１７の板部２０上面に、鉤形に屈曲した係合部３９を有する上挟持片４０とを設け、一対の下挟持片３８と上挟持片４０との間で、カバー体９の天壁部１２を挟持すると共に、係合部３９を係止孔３７を係合させることにより、カバー体９とノズルボタン１７とを連結状態に保持し、容器本体１からカバー体９を分離する際に、カバー体９とノズルボタン１７との連結を外してノズルボタン１７の差し込み具２７を使用できるようにしたものである。
【００２８】
図２７は、カバー体９とノズルボタン１７とを別個に成形し、カバー体９の天壁部１２に係止孔３７を設けると共に、ノズルボタン１７の板部２０下面に、連結片４２を突設すると共に、連結片４２の先端部に鉤形に上方突出した係合爪４３を設け、連結片４２をカバー体９の天壁部１２の下面に配置すると共に、係合爪４３を係止孔３７に下側から挿通して係合させることにより、カバー体９とノズルボタン１７とを連結状態に保持し、容器本体１からカバー体９を分離する際に、カバー体９とノズルボタン１７との連結を外してノズルボタン１７の差し込み具２７を使用できるようにしたものである。
【００２９】
図２８及び図２９は他の実施の形態を示し、カバー体９とノズルボタン１７とを別個に成形すると共に、ノズル２３をノズルボタン１７のノズルボタン本体と別個に成形し、成形後にノズルボタン本体にノズル２３を嵌合固着してノズルボタン１７を構成するようにしたものである。また、図１〜４の前記実施の形態と同様に、ノズルボタン１７の押圧部２２の下側にリブ２６を設けると共に、該リブ２６に、先端が徐々に細くなった三角形状の差し込み具２７を一体に形成し、容器本体１からカバー体９を分離させる際に、図２９に示す如く差し込み具２７を差し込み口２９に一度に深く差し込み過ぎて容器本体１に対してカバー体９が飛び落ちないように、差し込み具２７の差し込み深さを規制するストッパを、ノズルボタン１７の嵌合部２１で兼用するようにしている。
【００３０】
図３０は他の実施の形態を示し、ノズルボタン１７の嵌合部２１に摺動係合片４５を設け、摺動係合片４５の下端に差し込み具２７を一体に形成している。また、カバー体９の天壁部１２に上記摺動係合片４５を、上下方向に摺動自在に係合する係止溝４６を設けている。この場合、容器本体１からカバー体９を分離する際に、カバー体９の係止溝４６から摺動係合片４５を上方に抜くことにより、カバー体９とノズルボタン１７との連結を外してノズルボタン１７の差し込み具２７を使用するようになっている。
【００３１】
図３１は他の実施の形態を示し、カバー体９とノズルボタン１７とを別個に成形すると共に、差し込み具２７を有する操作体４７を、カバー体９に複数の連結切断部４８を介して連結した状態になるようにカバー体９と一体に形成し、容器本体１からカバー体９を分離する際に、操作体４７をカバー体９から分離して、操作体４７の差し込み具２７を差し込み口２９に差し込んでカバー体９を容器本体１から分離できるようにしたものである。
【００３２】
図３２は他の実施の形態を示し、カバー体９とノズルボタン１７と差し込み具２７を有する操作体４７とを夫々別体に形成し、操作体４７を例えばノズルボタン１７の嵌合部に外嵌させた状態でノズルボタン１７に操作体４７を内嵌保持しておき、容器本体１からカバー体９を分離する際に、操作体４７をノズルボタン１７から取り出して、操作体４７の差し込み具２７を差し込み口２９に差し込んでカバー体９を容器本体１から分離できるようにしたものである。
【００３３】
図３３は他の実施の形態を示し、オーバーキャップ３１に一対の支持片５１を設けると共に、支持片５１の先端部に差し込み具２７を設けたものである。また、カバー体９に、前記一対の支持片５１の下端部及び差し込み具２７を、係脱自在に係合する係合溝５３を設けるようにしたものである。この場合、容器本体１からカバー体９を分離する際に、カバー体９からオーバーキャップ３１を取り外して、オーバーキャップ３１の差し込み具２７を差し込み口２９に差し込んでカバー体９を容器本体１から分離すればよい。
【００３４】
図３４〜３９は他の実施の形態を示し、カバー体９の押圧部２２の下側にリブ２６が設けられ、このリブ２６の下端部に、先端が徐々に細くなった三角形状の差し込み具２７が一体に形成されている。また、前記実施の形態におけるカバー体９のスカート部１１を省略し、カバー体９の筒上部１０を、上筒状部１０ａと、該上筒上部１０ａから段部５５を介して下方突出された下筒状部１０ｂとで構成し、オーバーキャップ３１を上筒状部１０ａに着脱自在に嵌合するようにしている。そして、筒状部１０の下筒状部１０ｂの上部側に、スリット孔により構成した差し込み口２９を、差し込み具２７に対応して設け、差し込み具２７を差し込み口２９からカバー体９内に挿入することにより、マウンテンキャップ４の外周部上面を差し込み具２７が摺動して、容器本体１に対してカバー体９を持ち上げるようになっている。
【００３５】
図４０は図３４〜３９の実施の形態の変形例を示し、差し込み口２９を異形の形状にすると共に、図示省略しているが、差し込み具２７を差し込み口２９に対応する異形の形状にし、これにより、差し込み口２９に差し込み具２７を差し込む際に、差し込み口２９に対して差し込み具２７が上下逆向きにならないように、ノズルボタン１７乃至差し込み具２７の向きを特定できるようにしたものである。
【００３６】
なお、前記実施の形態では、本考案を噴射ステム５を有する噴射式の容器に実施しているが、本考案は、ポンプ式のスプレー容器等にも適用実施可能である。
また、前記カバー体９、ノズルボタン１７及び容器本体１その他は、円形又は円筒形に限らず、他の形状であってもよい。
また、前記実施の形態では、オーバーキャップ３１を外した状態で差し込み口２９が外部に露出するようになっているが、差し込み口２９を外部に露出しないように体裁よく覆うようにしてもよい。
【００３７】
【発明の効果】
本発明によれば、容器に設けた差し込み具２７をカバー体９に設けた差し込み口２９に差し込むことにより、ペンチ等の工具を使用することなく、カバー体を容器本体から簡単に分離することができる。
【図面の簡単な説明】
【図１】本発明の一実施の形態を示す側面断面図である。
【図２】同カバー体及びノズルボタンの平面図である。
【図３】同分離操作を示す側面断面図である。
【図４】同分離操作を示す斜視図である。
【図５】他の実施の形態を示すカバー体の正面図である。
【図６】他の実施の形態を示すカバー体の正面図である。
【図７】他の実施の形態を示すカバー体の正面図である。
【図８】他の実施の形態を示す斜視図である。
【図９】他の実施の形態を示す斜視図である。
【図１０】他の実施の形態を示す斜視図である。
【図１１】図１０の実施の形態における差し込み具の断面図である。
【図１２】図１０の実施の形態における差し込み具の他の形状を示す断面図である。
【図１３】他の実施の形態を示すノズルボタンの斜視図である。
【図１４】他の実施の形態を示す斜視図である。
【図１５】同ノズルボタンの斜視図である。
【図１６】他の実施の形態を示す斜視図である。
【図１７】他の実施の形態を示す側面断面図である。
【図１８】同斜視図である。
【図１９】同分離操作を示す側面断面図である。
【図２０】同ノズルボタンの変形例を示す斜視図である。
【図２１】他の実施の形態を示す側面断面図である。
【図２２】同斜視図である。
【図２３】同差し込み具の断面図である。
【図２４】同分離操作を示す側面断面図である。
【図２５】他の実施の形態を示す斜視図である。
【図２６】他の実施の形態を示す斜視図である。
【図２７】他の実施の形態を示す斜視図である。
【図２８】他の実施の形態を示す側面断面図である。
【図２９】他の実施の形態を示す側面断面図である。
【図３０】他の実施の形態を示す斜視図である。
【図３１】他の実施の形態を示す斜視図である。
【図３２】他の実施の形態を示す斜視図である。
【図３３】他の実施の形態を示す斜視図である。
【図３４】他の実施の形態を示す側面断面図である。
【図３５】同カバー体及びノズルボタンの平面図である。
【図３６】同ノズルボタン側面図である。
【図３７】同分離操作を示す側面断面図である。
【図３８】同分離操作を示す斜視図図である。
【図３９】同カバー体の正面図である。
【図４０】他の実施の形態を示すカバー体の正面図である。
【符号の説明】
１      容器本体
２      肩部
３      口部
４      マウンテンキャップ
５      噴射ステム
９      カバー体
１７    ノズルボタン
２２    押圧部
２３    ノズル
２６    リブ
２７    差し込み具
２９    差し込み口
３１    オーバーキャップ
３５    ガイドリブ
【図１】
0003742706.tif 000002
【図２】
0003742706.tif 000003
【図３】
0003742706.tif 000004
【図４】
0003742706.tif 000005
【図５】
0003742706.tif 000006
【図６】
0003742706.tif 000007
【図７】
0003742706.tif 000008
【図８】
0003742706.tif 000009
【図９】
0003742706.tif 000010
【図１０】
0003742706.tif 000011
【図１１】
0003742706.tif 000012
【図１２】
0003742706.tif 000013
【図１３】
0003742706.tif 000014
【図１４】
0003742706.tif 000015
【図１５】
0003742706.tif 000016
【図１６】
0003742706.tif 000017
【図１７】
0003742706.tif 000018
【図１８】
0003742706.tif 000019
【図１９】
0003742706.tif 000020
【図２０】
0003742706.tif 000021
【図２１】
0003742706.tif 000022
【図２２】
0003742706.tif 000023
【図２３】
0003742706.tif 000024
【図２４】
0003742706.tif 000025
【図２５】
0003742706.tif 000026
【図２６】
0003742706.tif 000027
【図２７】
0003742706.tif 000028
【図２８】
0003742706.tif 000029
【図２９】
0003742706.tif 000030
【図３０】
0003742706.tif 000031
【図３１】
0003742706.tif 000032
【図３２】
0003742706.tif 000033
【図３３】
0003742706.tif 000034
【図３４】
0003742706.tif 000035
【図３５】
0003742706.tif 000036
【図３６】
0003742706.tif 000037
【図３７】
0003742706.tif 000038
【図３８】
0003742706.tif 000039
【図３９】
0003742706.tif 000040
【図４０】
0003742706.tif 000041